【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
端末によって実行されるプログラムであって、
前記端末のユーザを含むグループを識別するためのグループ識別情報が関連付けられた、事業者を識別するための事業者識別情報に基づいて、前記ユーザまたは前記ユーザの端末を識別するための識別情報を前記端末の通信部によって送信することと、
前記事業者の電子装置から送信された、前記識別情報と、前記グループ識別情報が関連付けられた前記事業者のスケジュールに関するスケジュール情報とのうち、少なくとも前記スケジュール情報を前記通信部によって受信することとが前記端末によって実行され、
前記スケジュール情報は、関連付けられた前記グループ識別情報に基づき、前記グループ識別情報によって識別される前記グループに含まれる前記ユーザの前記端末に送信される。
【請求項２】
請求項１に記載のプログラムであって、
前記グループ識別情報は、前記識別情報が関連付けられており、
前記スケジュール情報は、前記識別情報が関連付けられた前記グループ識別情報に基づき、前記グループ識別情報によって識別される前記グループに含まれる前記ユーザの前記端末に送信される。
【請求項３】
請求項１または請求項２に記載のプログラムであって、
前記グループ識別情報は、前記事業者識別情報に関連する情報であって、前記識別情報を前記ユーザの操作に基づき送信する情報が関連付けられている。
【請求項４】
請求項３に記載のプログラムであって、
前記グループに含まれる複数の端末は、前記複数の端末の間でコンテンツの送受信を行い、
前記複数の端末の間で送受信された前記コンテンツを前記端末の表示領域に表示することが前記端末によって実行され、
前記識別情報を前記ユーザの操作に基づき送信する情報は、前記複数の端末の間で送受信された前記コンテンツに含まれる。
【請求項５】
請求項１から請求項４のいずれか一項に記載のプログラムであって、
前記事業者識別情報は、前記事業者の電話番号を含む。
【請求項６】
請求項１から請求項５のいずれか一項に記載のプログラムであって、
前記グループは、前記ユーザとは異なる第１ユーザを少なくとも含み、
前記スケジュール情報は、前記グループ識別情報に基づき、前記グループに含まれる前記第１ユーザの第１端末に送信される。
【請求項７】
請求項６に記載のプログラムであって、
前記グループ識別情報に基づき、前記グループに含まれる前記第１ユーザの前記第１端末に第１コンテンツを前記通信部によって送信することと、
前記第１端末から前記グループ識別情報に基づき送信された第２コンテンツを前記通信部によって受信することと、
前記第１コンテンツと前記第２コンテンツとを前記端末の表示領域に表示することとが前記端末によって実行される。
【請求項８】
請求項１から請求項７のいずれか一項に記載のプログラムであって、
前記スケジュール情報は、前記電子装置から送信された、前記グループ識別情報を識別するための情報に基づく前記グループ識別情報によって識別される前記グループに含まれる前記ユーザの前記端末に送信される。
【請求項９】
請求項１から請求項７のいずれか一項に記載のプログラムであって、
前記スケジュール情報は、前記端末が前記識別情報を送信した履歴に基づく前記グループ識別情報によって識別される前記グループに含まれる前記ユーザの前記端末に送信される。
【請求項１０】
請求項１から請求項９のいずれか一項に記載のプログラムであって、
第１条件が成立したことに基づいて、前記スケジュール情報に基づく処理を行うことが前記端末によって実行される。
【請求項１１】
請求項１０に記載のプログラムであって、
前記第１条件は、前記スケジュール情報に基づく処理を行うことが前記端末のユーザに許可されることを含む。
【請求項１２】
請求項１０または請求項１１に記載のプログラムであって、
前記グループ識別情報は、前記識別情報を前記ユーザの操作に基づき送信する情報が関連付けられており、
前記第１条件は、前記識別情報を前記ユーザの操作に基づき送信する情報に関連付けられた前記事業者識別情報と、前記電子装置から送信された前記事業者識別情報とに基づく条件を含む。
【請求項１３】
請求項１０から請求項１２のいずれか一項に記載のプログラムであって、
前記第１条件は、前記識別情報と、前記事業者識別情報とが関連付けられることを含む。
【請求項１４】
請求項１から請求項１３のいずれか一項に記載のプログラムであって、
第２条件が成立したことに基づいて、前記スケジュール情報に基づく処理を行ったことを前記事業者に報知するための処理を行うことが前記端末によって実行される。
【請求項１５】
請求項１４に記載のプログラムであって、
前記第２条件は、前記識別情報と、前記事業者識別情報とが関連付けられることを含む。
【請求項１６】
請求項１から請求項１５のいずれか一項に記載のプログラムであって、
前記識別情報は、前記スケジュール情報を受信した後、前記事業者識別情報に基づいて前記通信部によって送信され、
前記スケジュール情報は、前記事業者のスケジュールに関する処理が前記電子装置で実行されることで更新され、
更新された前記スケジュール情報は、関連付けられた前記グループ識別情報に基づき、前記グループ識別情報によって識別される前記グループに含まれる前記ユーザの前記端末に送信される。
【請求項１７】
請求項１６に記載のプログラムであって、
前記更新された前記スケジュール情報は、前記更新された前記スケジュール情報が前記電子装置から送信された日時に基づく前記グループ識別情報によって識別される前記グループに含まれる前記ユーザの前記端末に送信される。
【請求項１８】
請求項１６または請求項１７に記載のプログラムであって、
前記事業者のスケジュールに関する処理を前記電子装置に実行させるための情報を、前記通信部によって送信することが前記端末によって実行される。
【請求項１９】
請求項１８に記載のプログラムであって、
前記更新された前記スケジュール情報は、前記電子装置により前記事業者のスケジュールに関する処理が、前記事業者のスケジュールに関する処理を前記電子装置に実行させるための情報に基づいて実行されたことに基づいて前記端末に送信される。
【請求項２０】
請求項１から請求項１９のいずれか一項に記載のプログラムであって、
前記端末の入力部に入力される情報に基づいて、前記グループ識別情報と前記事業者識別情報とを関連付けることが前記端末によって実行される。
【請求項２１】
請求項２０に記載のプログラムであって、
前記入力部は音入力部を含み、
前記グループ識別情報と前記事業者識別情報とは、前記音入力部に入力される音声情報に基づいて関連付けられる。
【請求項２２】
請求項１から請求項２１のいずれか一項に記載のプログラムであって、
前記グループは、前記ユーザとは異なる第２ユーザを少なくとも含み、
前記グループに含まれる前記第２ユーザのスケジュール情報を前記端末の表示領域に表示することが前記端末によって実行される。
【請求項２３】
請求項１から請求項２２のいずれか一項に記載のプログラムであって、
前記事業者のスケジュール情報を前記端末の表示領域に表示することが前記端末によって実行される。
【請求項２４】
端末の情報処理方法であって、
前記端末のユーザを含むグループを識別するためのグループ識別情報が関連付けられた、事業者を識別するための事業者識別情報に基づいて、前記ユーザまたは前記ユーザの端末を識別するための識別情報を前記端末の通信部によって送信することと、
前記事業者の電子装置から送信された、前記識別情報と、前記グループ識別情報が関連付けられた前記事業者のスケジュールに関するスケジュール情報とのうち、少なくとも前記スケジュール情報を前記通信部によって受信することとを含み、
前記スケジュール情報は、関連付けられた前記グループ識別情報に基づき、前記グループ識別情報によって識別される前記グループに含まれる前記ユーザの前記端末に送信される。
【請求項２５】
端末であって、
前記端末のユーザを含むグループを識別するためのグループ識別情報が関連付けられた、事業者を識別するための事業者識別情報に基づいて、前記ユーザまたは前記ユーザの端末を識別するための識別情報を送信し、前記事業者の電子装置から送信された、前記識別情報と、前記グループ識別情報が関連付けられた前記事業者のスケジュールに関するスケジュール情報とのうち、少なくとも前記スケジュール情報を受信する通信部を備え、
前記スケジュール情報は、関連付けられた前記グループ識別情報に基づき、前記グループ識別情報によって識別される前記グループに含まれる前記ユーザの前記端末に送信される。
【請求項２６】
情報処理装置によって実行されるプログラムであって、
端末のユーザを含むグループを識別するためのグループ識別情報と、事業者を識別するための事業者識別情報とを関連付けることと、
前記事業者の電子装置から送信された、前記事業者に関する前記事業者識別情報と、前記事業者のスケジュールに関するスケジュール情報と、を前記情報処理装置の通信部によって受信することと、
受信した前記事業者識別情報に基づいて、前記事業者識別情報が関連付けられた前記グループ識別情報によって識別される前記グループと、受信した前記スケジュール情報とを関連付けることとが前記情報処理装置によって実行される。
【請求項２７】
情報処理装置の情報処理方法であって、
端末のユーザを含むグループを識別するためのグループ識別情報と、事業者を識別するための事業者識別情報とを関連付けることと、
前記事業者の電子装置から送信された、前記事業者に関する前記事業者識別情報と、前記事業者のスケジュールに関するスケジュール情報と、を前記情報処理装置の通信部によって受信することと、
受信した前記事業者識別情報に基づいて、前記事業者識別情報が関連付けられた前記グループ識別情報によって識別される前記グループと、受信した前記スケジュール情報とを関連付けることとを含む。
【請求項２８】
情報処理装置であって、
端末のユーザを含むグループを識別するためのグループ識別情報と、事業者を識別するための事業者識別情報とを関連付ける関連付け部と、
前記事業者の電子装置から送信された、前記事業者に関する前記事業者識別情報と、前記事業者のスケジュールに関するスケジュール情報と、を受信する通信部とを備え、
前記関連付け部は、受信した前記事業者識別情報に基づいて、前記事業者識別情報が関連付けられた前記グループ識別情報によって識別される前記グループと、受信した前記スケジュール情報とを関連付ける。
【請求項２９】
端末と通信する電子装置が実行するプログラムであって、
前記電子装置の事業者のスケジュールに関する第１スケジュール情報と、前記端末のユーザを含むグループのスケジュールに関する第２スケジュール情報とを関連付けることと、
前記端末のユーザまたは前記ユーザの端末を識別するための識別情報と、前記第２スケジュール情報と関連付けた前記第１スケジュール情報に基づくスケジュール情報であって、前記グループを識別するためのグループ識別情報が関連付けられたスケジュール情報とを前記電子装置の通信部によって送信することとが前記電子装置によって実行される。
【請求項３０】
請求項２９に記載のプログラムであって、
前記第１スケジュール情報と、前記第２スケジュール情報とを前記電子装置の表示領域に表示することと、
前記電子装置のユーザの操作に基づいて、前記第２スケジュール情報を更新することとが前記電子装置によって実行される。
【請求項３１】
請求項２９または請求項３０に記載のプログラムであって、
前記通信部は電話用通信部を含み、
前記電話用通信部による前記端末との電話における前記端末のユーザの音声情報を音声認識することが前記電子装置によって実行され、
前記第１スケジュール情報は、前記音声認識によって認識された前記第２スケジュール情報と関連付けられる。
【請求項３２】
端末と通信する電子装置の情報処理方法であって、
前記電子装置の事業者のスケジュールに関する第１スケジュール情報と、前記端末のユーザを含むグループのスケジュールに関する第２スケジュール情報とを関連付けることと、
前記端末のユーザまたは前記ユーザの端末を識別するための識別情報と、前記第２スケジュール情報と関連付けた前記第１スケジュール情報に基づくスケジュール情報であって、前記グループを識別するためのグループ識別情報が関連付けられたスケジュール情報とを前記電子装置の通信部によって送信することとを含む。
【請求項３３】
端末と通信する電子装置であって、
前記電子装置の事業者のスケジュールに関する第１スケジュール情報と、前記端末のユーザを含むグループのスケジュールに関する第２スケジュール情報とを関連付ける関連付け部と、
前記端末のユーザまたは前記ユーザの端末を識別するための識別情報と、前記第２スケジュール情報と関連付けた前記第１スケジュール情報に基づくスケジュール情報であって、前記グループを識別するためのグループ識別情報が関連付けられたスケジュール情報とを送信する通信部とを備える。
【手続補正２】
【補正対象書類名】明細書
【補正対象項目名】０００４
【補正方法】変更
【補正の内容】
【０００４】
本発明の第１の態様によると、端末によって実行されるプログラムは、端末のユーザを含むグループを識別するためのグループ識別情報が関連付けられた、事業者を識別するための事業者識別情報に基づいて、ユーザまたはユーザの端末を識別するための識別情報を端末の通信部によって送信することと、事業者の電子装置から送信された、識別情報と、グループ識別情報が関連付けられた事業者のスケジュールに関するスケジュール情報とのうち、少なくともスケジュール情報を通信部によって受信することとが端末によって実行され、スケジュール情報は、関連付けられたグループ識別情報に基づき、グループ識別情報によって識別されるグループに含まれるユーザの端末に送信される。
本発明の第２の態様によると、端末の情報処理方法は、端末のユーザを含むグループを識別するためのグループ識別情報が関連付けられた、事業者を識別するための事業者識別情報に基づいて、ユーザまたはユーザの端末を識別するための識別情報を端末の通信部によって送信することと、事業者の電子装置から送信された、識別情報と、グループ識別情報が関連付けられた事業者のスケジュールに関するスケジュール情報とのうち、少なくともスケジュール情報を通信部によって受信することとを含み、スケジュール情報は、関連付けられたグループ識別情報に基づき、グループ識別情報によって識別されるグループに含まれるユーザの端末に送信される。
本発明の第３の態様によると、端末は、端末のユーザを含むグループを識別するためのグループ識別情報が関連付けられた、事業者を識別するための事業者識別情報に基づいて、ユーザまたはユーザの端末を識別するための識別情報を送信し、事業者の電子装置から送信された、識別情報と、グループ識別情報が関連付けられた事業者のスケジュールに関するスケジュール情報とのうち、少なくともスケジュール情報を受信する通信部を備え、スケジュール情報は、関連付けられたグループ識別情報に基づき、グループ識別情報によって識別されるグループに含まれるユーザの端末に送信される。
本発明の第４の態様によると、情報処理装置によって実行されるプログラムは、端末のユーザを含むグループを識別するためのグループ識別情報と、事業者を識別するための事業者識別情報とを関連付けることと、事業者の電子装置から送信された、事業者に関する事業者識別情報と、事業者のスケジュールに関するスケジュール情報と、を情報処理装置の通信部によって受信することと、受信した事業者識別情報に基づいて、事業者識別情報が関連付けられたグループ識別情報によって識別されるグループと、受信したスケジュール情報とを関連付けることとが情報処理装置によって実行される。
本発明の第５の態様によると、情報処理装置の情報処理方法は、端末のユーザを含むグループを識別するためのグループ識別情報と、事業者を識別するための事業者識別情報とを関連付けることと、事業者の電子装置から送信された、事業者に関する事業者識別情報と、事業者のスケジュールに関するスケジュール情報と、を情報処理装置の通信部によって受信することと、受信した事業者識別情報に基づいて、事業者識別情報が関連付けられたグループ識別情報によって識別されるグループと、受信したスケジュール情報とを関連付けることとを含む。
本発明の第６の態様によると、情報処理装置は、端末のユーザを含むグループを識別するためのグループ識別情報と、事業者を識別するための事業者識別情報とを関連付ける関連付け部と、事業者の電子装置から送信された、事業者に関する事業者識別情報と、事業者のスケジュールに関するスケジュール情報と、を受信する通信部とを備え、関連付け部は、受信した事業者識別情報に基づいて、事業者識別情報が関連付けられたグループ識別情報によって識別されるグループと、受信したスケジュール情報とを関連付ける。
本発明の第７の態様によると、端末と通信する電子装置が実行するプログラムは、電子装置の事業者のスケジュールに関する第１スケジュール情報と、端末のユーザを含むグループのスケジュールに関する第２スケジュール情報とを関連付けることと、端末のユーザまたはユーザの端末を識別するための識別情報と、第２スケジュール情報と関連付けた第１スケジュール情報に基づくスケジュール情報であって、グループを識別するためのグループ識別情報が関連付けられたスケジュール情報とを電子装置の通信部によって送信することとが電子装置によって実行される。
本発明の第８の態様によると、端末と通信する電子装置の情報処理方法は、電子装置の事業者のスケジュールに関する第１スケジュール情報と、端末のユーザを含むグループのスケジュールに関する第２スケジュール情報とを関連付けることと、端末のユーザまたはユーザの端末を識別するための識別情報と、第２スケジュール情報と関連付けた第１スケジュール情報に基づくスケジュール情報であって、グループを識別するためのグループ識別情報が関連付けられたスケジュール情報とを電子装置の通信部によって送信することとを含む。
本発明の第９の態様によると、端末と通信する電子装置は、電子装置の事業者のスケジュールに関する第１スケジュール情報と、端末のユーザを含むグループのスケジュールに関する第２スケジュール情報とを関連付ける関連付け部と、端末のユーザまたはユーザの端末を識別するための識別情報と、第２スケジュール情報と関連付けた第１スケジュール情報に基づくスケジュール情報であって、グループを識別するためのグループ識別情報が関連付けられたスケジュール情報とを送信する通信部とを備える。